(57)【要約】      （修正有）【課題】サイズが異なった多種類の締結具の締付・弛緩の作業を行うことができるレンチを提供する。【解決手段】レンチのヘッド４０には、第３のボルト３００の頭部の側面部３０１と少し接触可能に設けられた係合面４２によって、第１のボルト１００を収容する第１の嵌合孔４１が設けられ、係合面４２には、第２のボルトを収容する第２の嵌合孔を画成するための、第２のボルトの頭部の角部を収容する収容溝４２３が形成されている。【選択図】図２
0003182674.tif 000002
【実用新案登録請求の範囲】
【請求項１】
少なくとも互いにサイズが異なった多角形状に形成された頭部を有する第１のボルトと第２のボルトとを含む互いにサイズの異なった複数の締結具に適用されるレンチであって、
前記第１のボルトの頭部に対応してこれを収容して回すように多角形状に形成された第１の嵌合孔が設けられたヘッドを有し、
前記第１の嵌合孔は、前記ヘッドの回転軸に沿う軸線方向に沿って延伸されるように前記ヘッドに設けられ、前記軸線方向の端面視で前記多角形状に形成されるよう複数の係合面が連なることによって画成され、
前記係合面は、前記回転軸を中心とする半径方向外側に向かう方向に窪んで設けられている凹面部と、前記凹面部によって２分割された２つの係合面部と、により構成され、
前記凹面部には、前記軸線方向に平行に長く延伸される収容溝が形成され、前記収容溝はその両側に、対応する前記係合面部と接続する側縁部を有し、
前記第１の嵌合孔内では、前記第２のボルトの頭部の側面部が前記側縁部と接触すると共に前記収容溝によって前記第２のボルトの頭部の角部を収容するように多角形状に形成された第２の嵌合孔が画成されていることを特徴とするレンチ。
【請求項２】
前記収容溝は、その端面視が円弧状を描くように湾曲していることを特徴とする請求項１に記載のレンチ。
【考案の詳細な説明】
【技術分野】
【０００１】
本考案は、ボルトやナットなどの締結具を回すことによって締め付けて固定したり緩めて外す作業を行うためのレンチに関する。
【背景技術】
【０００２】
図５は、従来のレンチの第１の例を示す。この従来のレンチ１０は、把持部として長く延伸されたレンチ本体１１の先端に所定のサイズを有する締結具（図示せず）を回すためのヘッド１３を有し、このヘッド１３には所定のサイズの多角嵌合孔１２が設けられているものである。
【０００３】
図６は、従来のレンチの第２の例を示す。この従来のレンチ２０は、把持部として長く延伸されたレンチ本体２１の先端側のヘッドには六角嵌合孔２３が形成されたラチェット部材２２が設けられており、所定の一方向にレンチ本体２１をまわすことができるが、逆方向に回転不能であるラチェットレンチである。
【０００４】
図７は、ソケットレンチに使われるソケットの一例を示す。ソケット３０の締結具を回す回転軸を中心とする軸方向の一端にレンチ本体のヘッドと結合する差込孔（図示せず）が設けられ、ソケット３０の軸方向の他端には締結具を収容して回す嵌合孔３１が設けられている。
【０００５】
上記の従来のレンチでは、それぞれの嵌合孔１２、２３、３１は所定サイズを有するため、所定の規格をもった締結具を回すことができる。従来より、締結具は、メートル法とヤードポンド法とにより定められた異なったサイズを有するため、サイズの異なる締結具に対してはそれぞれ対応して規格の異なる複数のレンチを用意しなければならず、コストの増大をきたすと共に、保管なども煩雑となる問題点がある。
【０００６】
複数のサイズに適用するレンチは、例えば特許文献１、特許文献２に開示されているように、当該技術分野において公知である。図８、図９には公知のレンチの一例を示している。レンチ５０は、レンチ本体５１のヘッドにサイズの異なる多種類の締結具６０を収容可能な収容孔５２が設けられている。収容孔５２の内周面は、その孔軸中心から半径方向外側に向かう方向に起伏して６つの孔軸方向に延伸される凸面溝５３と６つの孔軸方向に延伸される凹面溝５４とが交互に配置されるように凹凸状に形成されており、凸面溝５３には切欠溝５４が、収容される締結具６０の外周面の角部６１に対応するように窪んで形成されている。
【先行技術文献】
【特許文献】
【０００７】
【特許文献１】米国特許第８０５６４４８号明細書
【特許文献２】台湾登録実用新案第３４９４５８号明細書
【考案の概要】
【考案が解決しようとする課題】
【０００８】
上記のレンチでは、その凸面溝５３と摺接しながら締結具６０の角部６１が切欠溝５４に対応して係合されることによって締結具６０の締付・弛緩作業を行うことができるが、凸面溝５３と、それと接触する締結具６０と、の互いの摺接面が磨耗するという不具合がある。
【０００９】
本考案は、上記不具合に鑑みてなされたものであり、サイズが異なった多種類の締結具の締付・弛緩の作業を行うことができるレンチを提供することを目的とする。
【課題を解決するための手段】
【００１０】
上記目的を達成するために、本考案に係るレンチは、少なくとも互いにサイズが異なった多角形状に形成された頭部を有する第１のボルトと第２のボルトとを含む互いにサイズの異なった複数の締結具に適用されるレンチであって、前記第１のボルトの頭部に対応してこれを収容して回すように多角形状に形成された第１の嵌合孔が設けられたヘッドを有し、前記第１の嵌合孔は、前記ヘッドの回転軸に沿う軸線方向に沿って延伸されるように前記ヘッドに設けられ、前記軸線方向の端面視で前記多角形状に形成されるよう複数の係合面が連なることによって画成され、前記係合面は、前記回転軸を中心とする半径方向外側に向かう方向に窪んで設けられている凹面部と、前記凹面部によって２分割された２つの係合面部と、により構成され、前記凹面部には、前記軸線方向に平行に長く延伸される収容溝が形成され、前記収容溝はその両側に、対応する前記係合面部と接続する側縁部を有し、前記第１の嵌合孔内では、前記第２のボルトの頭部の側面部が前記側縁部と接触すると共に前記収容溝によって第２のボルトの頭部の角部を収容するように多角形状に形成された第２の嵌合孔が画成されていることを特徴とする。
【考案の効果】
【００１１】
本考案に係るレンチによれば、サイズの異なったボルトの側面部は対応する係合面或いは係合面部と滑り合うことなく第１の嵌合孔或いは第２の嵌合孔に収容されることができるので、レンチの磨耗を大幅に低減することができ、長く使用することができる。また、ボルトの頭部に対しての磨耗も大幅に低減することができるので、安定してボルトの締付・弛緩作業を行うことができる。
【図面の簡単な説明】
【００１２】
【図１】本考案に係るレンチにおけるヘッドの端面図である。
【図２】本考案に係るレンチの使用状態を説明する図である。
【図３】本考案に係るレンチの他の使用状態を説明する図である。
【図４】図３の一部を拡大して示す図である。
【図５】従来のレンチの一例を示す図である。
【図６】従来のレンチの他例を示す斜視図である。
【図７】レンチに用いられるソケットの一例を示す図である。
【図８】従来のレンチの使用状態を示す図である。
【図９】図８のレンチの他の使用状態を示す図である。
【考案を実施するための形態】
【００１３】
以下、本考案を、その好ましい実施形態に基づき図面を参照しながら説明する。
【００１４】
（実施例）
図１は、本考案に係るレンチの一例を示す。本実施例に係るレンチは、サイズが互いに異なった締結具を回すことによって締め付けて固定したり緩めて外したりする作業を行うものである。この例において適用される締結具としては、例えば図２、図３、図４に示されているように、それぞれのサイズが異なったボルト１００、２００、３００である。このレンチは、その把持部として延伸されたレンチ本体（図示せず）の先端に、ボルトを回すヘッド４０を有し、このヘッド４０には、その回転軸に沿う軸線方向に沿って延伸される第１の嵌合孔４１が設けられており、第１の嵌合孔４１は、複数例えば６つの係合面４２が連なることによって例えば端面視で６辺形状に形成されている。
【００１５】
この例では、係合面４２は、ヘッド４０の回転軸を中心とする半径方向外側に向かう方向に窪んで設けられている凹面部４２２と、凹面部４２２によって２分割されている２つの係合面部４２１、４２１と、により構成されている。
【００１６】
凹面部４２２は、その端面視が例えば円弧状を描くように湾曲してヘッド４０の回転軸に沿う方向である軸線方向に沿って延伸される収容溝４２３を画成するように、係合面４２の軸線方向のほぼ真ん中である中央軸線に沿って長く延伸されて形成されている。収容溝４２３は、図３に示されているように、ボルト２００の対応する角部を収容するように相俟って６辺形状の第２の嵌合孔４３を画成するように設けられている。
【００１７】
この例では、図２に示されているように、各収容溝４２３は、その両側に、対応する係合面部４２１と接続する側縁部４２４を有する。
【００１８】
次に、上記のように構成された本考案に係るレンチの作用及び効果は、図２〜図４を参照して説明する。この例では、本考案に係るレンチに適用されるよう、サイズの異なった、所定の多辺形状例えば６辺形状に形成された頭部を有する第１のボルト１００と第２のボルト２００と第３のボルト３００とを用いて説明する。第１のボルト１００は、６つの側面部１０１によって端面視で６辺形状に構成された頭部を有し、６つの側面部１０１において相互の間に角部１０２を有する。第２のボルト２００は、６つの側面部２０１によって端面視で６辺形状に構成された頭部を有し、６つの側面部２０１において相互の間に角部２０２を有する。第３のボルト３００は、６つの側面部３０１によって端面視で６辺形状に構成された頭部を有し、６つの側面部３０１において相互の間に角部３０２を有する。また、第１のボルト１００の頭部の端面における最大の対角線の長さＨ１は、この例では、第１の嵌合孔４１の最大の対角線長さとほぼ同じであり、第３のボルト３００の最大の対角線の長さＨ３よりも長い。また、第２のボルト２００は、長さＨ１とＨ３と異なった最大の対角線長さＨ２を有する。
【００１９】
上記のように構成された本考案に係るレンチは、図２に示されているように、第１の嵌合孔４１内に第１のボルト１００を収容して回すとき、第１のボルト１００の頭部の各側面部１０１が係合面４２１と接触しながら第１のボルト１００の頭部が第１の係合孔４１内に収容されることによって、第１のボルト１００の締付・弛緩の作業を行うことができる。
【００２０】
また、第１の嵌合孔４１内に第３のボルト３００を収容して回すとき、第３のボルト３００の頭部の角部３０２が対応する係合面部４２１に接触しながら第１の嵌合孔４１内に収容されることによって、第３のボルト３００の締付・弛緩の作業を行うことができる。
【００２１】
また、図３〜図４に示されているように、凹面部４２２によって画成された第２の嵌合孔４３内に第２のボルト２００を収容して回すとき、第２のボルト２００の側面部２０１が対応する側縁部４２４に当たると共に、角部２０２が対応する収容溝４２３に収容されることによって、第２のボルト２００の締付・弛緩の作業を行うことができる。
【００２２】
以上により、本考案に係るレンチでは、サイズの異なったボルト１００、２００、３００の側面部１０１、１０２、１０３は対応する係合面４２或いは係合面部４２１と滑り合うことなく第１の嵌合孔４１或いは第２の嵌合孔４３に収容されることができるので、レンチの磨耗を大幅に低減することができ、長く使用することができると共に、安定してボルトの締付・弛緩作業を行うことができる。
【００２３】
上述のごとく、図面を参照してこの考案の実施例の一つを説明したが、本考案は、図示した実施例に限定されるものではない。本考案と同一の範囲内において、または均等の範囲内において、図示した実施形態に対して種々の変更を加えることが可能である。
【００２４】
例えば、本考案に係るレンチにおいてソケットをもって他の一例として適用される。例えば図１に示されているように、ソケット４０１には、第３のボルト３００の頭部の側面部３０１と少し接触可能に設けられた係合面４２によって第１のボルト１００を収容する第１の嵌合孔４１が設けられ、係合面４２には、第２のボルト２００を収容する第２の嵌合孔４３を画成するための収容溝４２３が形成されている。このように、本考案に係るレンチはソケット４０１を装着して適用することもできる。
【産業上の利用可能性】
【００２５】
本考案に係るレンチは、ボルトやナットなどの締結具の締付・弛緩作業を行う工具として有用である。
【符号の説明】
【００２６】
４０  ヘッド
４１  第１の嵌合孔
４２  係合面
４２１  係合面部
４２２  凹面部
４２３  収容溝
４２４  側縁部
４３  第２の嵌合孔
４０１  ソケット
１００、２００、３００  ボルト
１０１、２０１、３０１  側面部
１０２、２０２、３０２  角部
Ｈ１、Ｈ２、Ｈ３  ボルトの頭部の最大の対角線の長さ
【図１】
0003182674.tif 000003
【図２】
0003182674.tif 000004
【図３】
0003182674.tif 000005
【図４】
0003182674.tif 000006
【図５】
0003182674.tif 000007
【図６】
0003182674.tif 000008
【図７】
0003182674.tif 000009
【図８】
0003182674.tif 000010
【図９】
0003182674.tif 000011